【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  識別情報を可変表示可能な可変表示部を備え、遊技者が所定の遊技を行うことが可能な遊技機であって、
遊技の進行を制御する遊技制御手段と、遊技機に設けられる電気部品を制御するための電気部品制御処理を行う電気部品制御手段とを備え、
前記遊技制御手段は、前記電気部品制御手段に対してコマンドデータを出力するためのコマンド出力処理と、コマンドデータの取込みを指定する取込信号を出力するための取込信号出力処理とを実行するコマンド出力手段を有し、
前記コマンド出力手段は、
前記可変表示部において識別情報の可変表示の開始を指示するときに可変表示パターンを特定するためのコマンドデータを出力する可変表示開始コマンド出力手段と、可変表示の表示結果を特定するためのコマンドデータを出力する表示結果コマンド出力手段と、識別情報の可変表示の終了を指示するときに可変表示終了を特定するためのコマンドデータを出力する可変表示終了コマンド出力手段とを含み、
コマンドデータを出力して取込信号出力処理を実行した後、前記電気部品制御手段が確実にコマンドデータを取り込めるように設定された所定期間経過後に次のコマンドデータを出力し、
前記所定期間は、コマンドデータを出力してから取込信号を出力するまでの期間よりも長い
ことを特徴とする遊技機。
【請求項２】  コマンド出力手段は、電気部品制御手段に送出される１つのコマンドとして、２つのコマンドデータを出力する
請求項１記載の遊技機。
【請求項３】  コマンド出力手段は、所定期間が経過するまでコマンドデータの出力を維持する
請求項１または請求項２記載の遊技機。
【請求項４】  電気部品制御手段は、取込信号の入力に応じて、コマンド出力手段が設定した所定期間内でコマンドデータを入力するためのコマンド入力処理を実行する
請求項１から請求項３のうちのいずれかに記載の遊技機。
【請求項５】  電気部品制御手段は、コマンド入力処理において、入力されたコマンドデータが適正なコマンドデータであるか否かを判定するコマンド判定処理を実行する
請求項４記載の遊技機。
【請求項６】  電気部品制御手段は、入力されたコマンドデータを同時に複数格納可能な記憶手段を有する
請求項１から請求項５のうちのいずれかに記載の遊技機。
【請求項７】  電気部品制御手段は、入力端子に入力されるクロック信号をカウントしカウント値が所定値になると割込を発生するタイマ／カウンタ回路を有し、
取込信号は前記入力端子に入力され、
前記電気部品制御手段は、タイマ／カウンタ回路からの割込に応じて実行される割込処理でコマンド入力処理を実行する
請求項４から請求項６のうちのいずれかに記載の遊技機。
【請求項８】  遊技機は複数種類の電気部品制御手段を備え、
コマンド出力手段は、前記複数種類の電気部品制御手段に対するコマンドデータおよび取込信号の出力に共通に使用されるモジュールを用いてコマンド出力処理を実行する
請求項１から請求項７のうちのいずれかに記載の遊技機。
【請求項９】  電気部品制御手段として、所定の条件成立に応じて遊技者に有価価値を付与する価値付与制御手段が含まれる
請求項１から請求項８のうちのいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、識別情報を可変表示可能な可変表示部を備え、遊技者が所定の遊技を行うことが可能な遊技機であって、遊技の進行を制御する遊技制御手段と、遊技機に設けられる電気部品を制御するための電気部品制御処理を行う電気部品制御手段とを備え、遊技制御手段が、電気部品制御手段に対してコマンドデータを出力するためのコマンド出力処理と、コマンドデータの取り込みを指定する取込信号を出力するための取込信号出力処理とを実行するコマンド出力手段を有し、コマンド出力手段が、可変表示部において識別情報の可変表示の開始を指示するときに可変表示パターンを特定するためのコマンドデータを出力する可変表示開始コマンド出力手段と、可変表示の表示結果を特定するためのコマンドデータを出力する表示結果コマンド出力手段と、識別情報の可変表示の終了を指示するときに可変表示終了を特定するためのコマンドデータを出力する可変表示終了コマンド出力手段とを含み、コマンドデータを出力して取込信号出力処理を実行した後、電気部品制御手段が確実にコマンドデータを取り込めるように設定された所定期間経過後に次のコマンドデータを出力する構成であって、前記所定期間が、コマンドデータを出力してから取込信号を出力するまでの期間よりも長いことを特徴とする。
【手続補正３】
【補正対象書類名】明細書
【補正対象項目名】００１１
【補正方法】変更
【補正の内容】
【００１１】
コマンド出力手段は、電気部品制御手段に送出される１つのコマンドとして、２つのコマンドデータを出力するように構成されていてもよい。
【手続補正４】
【補正対象書類名】明細書
【補正対象項目名】００１４
【補正方法】変更
【補正の内容】
【００１４】
電気部品制御手段は、コマンド入力処理において、入力されたコマンドデータが適正なコマンドデータであるか否かを判定するコマンド判定処理を実行するように構成されていてもよい。
【手続補正５】
【補正対象書類名】明細書
【補正対象項目名】００１５
【補正方法】変更
【補正の内容】
【００１５】
電気部品制御手段は、入力されたコマンドデータを同時に複数格納可能な記憶手段を有するように構成されていてもよい。
【手続補正６】
【補正対象書類名】明細書
【補正対象項目名】００１６
【補正方法】変更
【補正の内容】
【００１６】
電気部品制御手段は、入力端子に入力されるクロック信号をカウントしカウント値が所定値になると割込を発生するタイマ／カウンタ回路を有し、取込信号は入力端子に入力され、電気部品制御手段は、タイマ／カウンタ回路からの割込に応じて実行される割込処理でコマンド入力処理を実行するように構成されていてもよい。
【手続補正７】
【補正対象書類名】明細書
【補正対象項目名】００１７
【補正方法】変更
【補正の内容】
【００１７】
遊技機は複数種類の電気部品制御手段を備え、コマンド出力手段は、複数種類の電気部品制御手段に対するコマンドデータおよび取込信号の出力に共通に使用されるモジュールを用いてコマンド出力処理を実行するよう構成されていてもよい。
【手続補正８】
【補正対象書類名】明細書
【補正対象項目名】０３１２
【補正方法】変更
【補正の内容】
【０３１２】
【発明の効果】
以上のように、本発明によれば、遊技機を、遊技制御手段におけるコマンド出力手段が、コマンドデータを出力し取込信号出力処理を実行してから電気部品制御手段が確実にコマンドデータを取り込めるように設定された所定期間経過後に次のコマンドデータを出力する構成であって、前記所定期間が、コマンドデータを出力してから取込信号を出力するまでの期間よりも長いように構成したので、遊技制御手段から電気部品制御手段に送出されるコマンドの出力状態が安定するとともに、電気部品制御手段が確実にコマンドを取り込むことができる効果がある。
【手続補正９】
【補正対象書類名】明細書
【補正対象項目名】０３１３
【補正方法】変更
【補正の内容】
【０３１３】
コマンド出力手段が、電気部品制御手段に送出される１つのコマンドとして、２つのコマンドデータを出力するように構成されている場合には、例えばコマンドをコマンドの分類とコマンドの種類に分けてコマンド受信処理の簡略化を図ったり、２つのコマンドデータの相互関係にもとづく受信コマンドチェックを行うことが可能になって、適正なコマンドの送受信処理を行うことができる。また、コマンド転送中のノイズ等によるデータ化けに起因する誤動作の可能性を低減することができる。
【手続補正１０】
【補正対象書類名】明細書
【補正対象項目名】０３１６
【補正方法】変更
【補正の内容】
【０３１６】
電気部品制御手段が、コマンド入力処理において、入力されたコマンドデータが適正なコマンドデータであるか否かを判定するコマンド判定処理を実行するように構成されている場合には、電気部品制御手段にて、誤った制御が実行されてしまうことが防止される。
【手続補正１１】
【補正対象書類名】明細書
【補正対象項目名】０３１７
【補正方法】変更
【補正の内容】
【０３１７】
電気部品制御手段が、入力されたコマンドデータを同時に複数格納可能な記憶手段を有するように構成されている場合には、電気部品制御手段における制御処理が遅れても受信したコマンドデータが失われてしまうことはなく、電気部品制御手段は、受信コマンドにもとづく処理を確実に行うことができる。
【手続補正１２】
【補正対象書類名】明細書
【補正対象項目名】０３１８
【補正方法】変更
【補正の内容】
【０３１８】
取込信号がタイマ／カウンタ回路の入力端子に入力され、電気部品制御手段が、タイマ／カウンタ回路からの割込に応じて実行される割込処理でコマンド入力処理を実行するように構成されている場合には、簡単な構成によってコマンドデータを受信できる形態を実現することができる。
【手続補正１３】
【補正対象書類名】明細書
【補正対象項目名】０３１９
【補正方法】変更
【補正の内容】
【０３１９】
コマンド出力手段が、複数種類の電気部品制御手段に対するコマンドデータおよび取込信号の出力に共通に使用されるモジュールを用いてコマンド出力処理を実行するよう構成されている場合には、各電気部品制御手段毎のモジュールを用意する必要はなく、遊技制御手段のプログラム容量を節減することができる。